Podtech/llm-jp-corpus-v4-ja_patent huggingface dataset:
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
画像を取得する取得手段と、
前記取得手段により取得された画像中の被写体を撮像した際の撮像方向を特定する方向特定手段と、
前記方向特定手段により特定された撮像方向に基づいて、前記取得手段により取得される画像に露出制御を行う露出制御手段と、
を備えたことを特徴とする露出制御装置。
【請求項２】
前記露出制御手段による露出制御のための複数のテーブルを記憶する記憶手段と、
前記方向特定手段により特定された撮像方向に基づいて、前記記憶手段により記憶された複数のテーブルから特定のテーブルを選択するテーブル選択手段と、を更に備え、
前記露出制御手段は、テーブル選択手段により選択された特定のテーブルに基づいて、前記取得手段により取得される画像に露出制御を行う
ことを特徴とする請求項１に記載の露出制御装置。
【請求項３】
前記記憶手段は、前記露出制御手段による露出制御のための複数の重み付けテーブルを前記複数のテーブルとして記憶し、
前記テーブル選択手段は、前記方向特定手段により特定された撮像方向に基づいて、前記記憶手段により記憶された複数の重み付けテーブルから特定の重み付けテーブルを選択し、
前記取得手段に取得される画像の露出制御の基準位置を選択する位置選択手段と、
前記方向特定手段により特定された撮像方向と前記位置選択手段により選択された基準位置とに基づいて、前記テーブル選択手段により選択された重み付けテーブルを変換する変換手段と、
を更に備え、
前記露出制御手段は、前記変換手段により変換された重み付けテーブルに基づいて、前記画像に露出制御を行うことを特徴とする請求項２に記載の露出制御装置。
【請求項４】
前記画像中の被写体の位置を特定する被写体特定手段をさらに有し、
前記露出制御手段は、前記方向特定手段により特定された撮像方向と、前記被写体特定手段により特定された前記被写体の位置とに基づいて、前記取得手段により取得された画像に露出制御を行うことを特徴とする請求項1乃至３の何れかに記載の露出制御装置。
【請求項５】
露出制御装置を制御する露出制御方法であって、
画像を取得する取得ステップと、
前記取得ステップにより取得された画像中の被写体を撮像した際の撮像方向を特定する方向特定ステップと、
前記方向特定ステップにより特定された撮像方向に基づいて、前記取得ステップにより取得される画像に露出制御を行う露出制御ステップと、
を含むことを特徴とする露出制御方法。
【請求項６】
コンピュータを、
画像を取得する取得手段、
前記取得手段により取得された画像中の被写体を撮像した際の撮像方向を特定する方向特定手段、
前記方向特定手段により特定された撮像方向に基づいて、前記取得手段により取得される画像に露出制御を行う露出制御手段、
として機能させること特徴とするプログラム。
【手続補正２】
【補正対象書類名】明細書
【補正対象項目名】０００６
【補正方法】変更
【補正の内容】
【０００６】
上記目的を達成するため、本発明の一態様の露出制御装置は、
画像を取得する取得手段と、
前記取得手段により取得された画像中の被写体を撮像した際の撮像方向を特定する方向特定手段と、
前記方向特定手段により特定された撮像方向に基づいて、前記取得手段により取得される画像に露出制御を行う露出制御手段と、
を備えたことを特徴とする。
【手続補正書】
【提出日】平成27年9月18日(2015.9.18)
【手続補正１】
【補正対象書類名】明細書
【補正対象項目名】０００６
【補正方法】変更
【補正の内容】
【０００６】
上記目的を達成するため、本発明の一態様の情報生成装置は、
人物の一連の動作における複数の時点を特定する特定手段と、
前記特定手段により特定された前記複数の時点に基づいて、前記一連の動作のリズムに関する情報を生成する生成手段と、を備えることを特徴とする。
【手続補正２】
【補正対象書類名】特許請求の範囲
【補正対象項目名】全文
【補正方法】変更
【補正の内容】
【特許請求の範囲】
【請求項１】
人物の一連の動作における所定の動作の時点を特定する特定手段と、
前記特定手段により特定された所定の動作の時点に基づいて、前記一連の動作に関する情報を生成する生成手段と、
を備えることを特徴とする情報生成装置。
【請求項２】
前記特定手段は、前記複数の所定の動作の時点を特定し、
前記生成手段は、前記特定手段により特定された複数の所定の動作の時点に基づいて、当該一連の動作のリズム情報を前記一連の動作に関する情報として生成することを特徴とする請求項１に記載の情報生成装置。
【請求項３】
前記人物の一連の動作が撮像された複数の画像を前記生成手段により生成されたリズム情報に同期させて再生する再生手段を更に備えたことを特徴とする請求項１又は２に記載情報生成装置。
【請求項４】
前記生成手段は、前記一連の動作に関する情報として、当該一連の動作を評価する情報を生成し、
前記生成手段により生成された情報を表示手段に表示させる表示制御手段を更に備えたことを特徴とする請求項１から３の何れか１項に記載の情報生成装置。
【請求項５】
前記一連の動作を評価する複数の情報を記憶する記憶手段と、
前記特定手段により特定された前記複数の時点に基づいて、前記一連の動作のリズムを解析する解析手段と、
前記解析手段による解析結果に基づいて、前記記憶手段に記憶された複数の評価情報から特定の評価情報を選択する選択手段と、
を更に備え、
前記生成手段は、前記選択手段により選択された特定の評価情報に基づいて、前記一連の動作を評価する情報を生成する
ことを特徴とする請求項４に記載の情報生成装置。
【請求項６】
前記選択手段は、所定の基準値と前記解析手段による解析結果とに基づいて、前記記憶手段に記憶された複数の評価情報から特定の評価情報を選択する、
ことを特徴とする請求項５に記載の情報生成装置。
【請求項７】
前記生成手段により生成された前記評価情報に対応する指標画像を取得する指標画像取得手段と、
当該指標画像と、前記取得手段により取得された画像とを対応付けて新たな画像を生成する画像生成手段を更に備える、
ことを特徴とする請求項４から６の何れか１項に記載の情報生成装置。
【請求項８】
前記人物の一連の動作が撮像された複数の画像を取得する取得手段を更に備え、
前記特定手段は、前記取得手段により取得された複数の画像中の前記一連の動作における所定の動作の時点を特定することを特徴とする請求項１から７の何れかに記載の情報生成装置。
【請求項９】
前記人物の一連の動作の速度情報を取得する速度取得手段と、
前記生成手段は、前記速度取得手段により取得される前記一連の動作の速度情報と、前記特定手段により特定される前記複数の時点に基づいて、前記一連の動作のリズムに関する情報を生成する、
ことを特徴とする請求項１から８の何れか１項に記載の情報生成装置。
【請求項１０】
前記特定手段は、複数の人物の一連の動作における所定の動作における複数の時点を夫々特定し、
前記生成手段は、前記特定手段により特定された前記複数の時点に基づいて、夫々異なる種類の前記一連の動作のリズムに関する情報を生成する、
ことを特徴とする請求項１から９の何れか１項に記載の情報生成装置。
【請求項１１】
前記特定手段により特定された前記複数の時点の間の経過時間の情報を取得する第２の取得手段をさらに備え、
前記生成手段は、前記第２の取得手段により取得された前記経過時間に基づき、当該一連の動作を評価する情報を生成する、
ことを特徴とする請求項３から１０の何れか１項に記載の情報生成装置。
【請求項１２】
情報生成装置が実行する情報生成方法であって、
人物の一連の動作における所定の時点を特定する特定ステップと、
前記特定ステップにて特定された所定の時点に基づいて、前記一連の動作に関する情報を生成する生成ステップと、
を含むことを特徴とする情報生成方法。
【請求項１３】
コンピュータに、
人物の一連の動作における所定の時点を特定する特定ステップと、
前記特定ステップにて特定された所定の時点に基づいて、前記一連の動作に関する情報を生成する生成ステップと、
を実行させるプログラム。
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
原稿画像内の網点領域を検出する網点検出手段と、
前記原稿画像内の先端領域を検出する先端検出手段と、
前記網点検出手段で検出された網点領域と、前記先端検出手段で検出された先端領域とに基づいて網点領域を決定する決定手段と
を備えることを特徴とする像域判定装置。
【請求項２】
前記決定手段は、前記網点検出手段で検出された網点領域から前記先端検出手段で検出された先端領域を除くことによって前記網点領域を決定することを特徴とする請求項１に記載の像域判定装置。
【請求項３】
前記網点検出手段は、網点パターンを用いたパターンマッチングにより前記網点領域を検出することを特徴とする請求項１または２に記載の像域判定装置。
【請求項４】
前記先端検出手段は、先端パターンを用いたパターンマッチングにより前記先端領域を検出することを特徴とする請求項１から３のいずれかに記載の像域判定装置。
【請求項５】
前記先端パターンは、前記網点検出手段で用いられる網点パターンと部分的に重複しているパターンであることを特徴とする請求項４に記載の像域判定装置。
【請求項６】
前記網点検出手段は、前記検出した網点領域の画素に第１の網点フラグを付与し、
前記先端検出手段は、前記検出した先端領域の画素に先端フラグを付与し、
前記決定手段は、前記第１の網点フラグが付与され、かつ前記先端フラグが付与されていない画素を網点領域の画素と決定することを特徴とする請求項１に記載の像域判定装置。
【請求項７】
原稿画像内の画素に対して、網点領域への近似度を表す第１のパラメータと、先端領域への近似度を表す第２のパラメータとに基づいて、前記画素が網点領域の画素であるかを判定する判定手段
を備えることを特徴とする像域判定装置。
【請求項８】
請求項１から７のいずれかに記載の像域判定装置によって網点領域であると判定された画素に対してスムージング処理を行う処理手段を備える画像処理装置。
【請求項９】
画像データを入力する画像データ入力手段と、
前記入力された画像データが示す画像の文字領域のエッジを強調した画像を出力する出力手段と
を備えた画像処理装置であって、
前記出力手段で出力される文字領域のエッジを強調した画像は、前記文字領域の線形状の先端部分のエッジが前記文字領域以外の領域よりも強調された画像である、
ことを特徴とする画像処理装置。
【請求項１０】
原稿画像内の網点領域を検出する網点検出ステップと、
前記原稿画像内の先端領域を検出する先端検出ステップと、
前記網点検出ステップで検出された網点領域と、前記先端検出ステップで検出された先端領域とに基づいて網点領域を決定する決定ステップと
を備えることを特徴とする像域判定方法。
【請求項１１】
コンピュータを請求項１から７のいずれかに記載の像域判定装置として機能させるためのプログラム。
【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
振れ検出手段の出力に基づいて光学補正手段を駆動して、振れによる画像振れを光学的に補正する撮像装置であって、
撮像光学系により結像された被写体像を受光して電荷を蓄積するタイミングがラインによって異なる撮像手段と、
前記撮像手段により撮像された画像を記憶する記憶手段と、
前記撮像手段が電荷を蓄積する間の前記振れによって発生する、前記画像内の歪みを補正するための歪み補正量を、前記振れ検出手段の出力に基づいて算出する歪み補正量算出手段と、
前記歪み補正量に基づいて、前記記憶手段に記憶された画像の補正を行う補正手段とを備え、
前記歪み補正量算出手段は、前記撮像手段の電荷蓄積の開始と終了の間の略中央の時間における、前記光学補正手段の位置に基づいて設定された位置を基準として前記歪み補正量を算出することを特徴とする撮像装置。
【請求項２】
前記撮像光学系の歪曲収差によって発生する、前記画像内の歪みを補正するための歪曲収差補正量を、前記光学補正手段の位置に基づいて設定された位置を基準として算出する歪曲収差補正量算出手段を更に有し、
前記補正手段は、前記歪曲収差による画像内の歪みの補正と前記振れによって発生する画像内の歪みの補正とを行うことを特徴とする請求項１に記載の撮像装置。
【請求項３】
前記撮像装置の振れによって発生する、前記撮像手段によって撮像される画像間の変形を補正するための幾何変形量を、前記光学補正手段の位置に基づいて設定された位置を基準として算出する幾何変形量算出手段を更に有し、
前記補正手段は、前記振れによって発生する前記画像間の幾何変形の補正と前記振れによって発生する画像内の歪みの補正とを行うことを特徴とする請求項１に記載の撮像装置。
【請求項４】
前記撮像光学系の歪曲収差によって発生する、前記画像内の歪みを補正するための歪曲収差補正量を、前記光学補正手段の位置に基づいて設定された位置を基準として算出する歪曲収差補正量算出手段と、
前記撮像装置の振れによって発生する、前記撮像手段によって撮像される画像間の変形を補正するための幾何変形量を、前記光学補正手段の位置に基づいて設定された位置を基準として算出する幾何変形量算出手段とを更に有し、
前記補正手段は、前記歪曲収差による画像内の歪みの補正、前記振れによって発生する画像内の歪みの補正、および前記振れによって発生する前記画像間の幾何変形の補正を行うことを特徴とする請求項１に記載の撮像装置。
【請求項５】
前記歪み補正量算出手段は、前記撮像手段の電荷蓄積の開始と終了の間の略中央の時間における前記歪み補正量をゼロとして前記歪み補正量を算出することを特徴とする請求項１ないし４の何れか１項に記載の撮像装置。
【請求項６】
前記画像間の変形とは、画像の回転またはあおりであることを特徴とする請求項１ないし５の何れか１項に記載の撮像装置。
【請求項７】
前記歪み補正量算出手段は、
前記光学補正手段の位置に基づいて設定された位置を含むラインを基準にして他のラインを左右にずらす第１の歪み補正量と、前記他のラインを上下にずらす第２の歪み補正量と、前記他のラインを回転する第３の歪み補正量とを算出することを特徴とする請求項１ないし６の何れか１項に記載の撮像装置。
【請求項８】
撮像光学系により結像された被写体像を受光して電荷を蓄積するタイミングがラインによって異なる撮像手段と、前記撮像手段により撮像された画像を記憶する記憶手段と、を有する撮像装置の制御方法であって、
振れを検出する振れ検出ステップと、
光学補正手段が、前記振れ検出ステップからの出力に基づいて、前記振れによる画像振れを光学的に補正する光学補正ステップと、
前記撮像手段が電荷を蓄積する間の前記振れによって発生する、前記画像内の歪みを補正するための歪み補正量を、前記振れ検出ステップの出力に基づいて算出する歪み補正量算出ステップと、
前記歪み補正量に基づいて、前記記憶手段に記憶された画像の補正を行う補正ステップとを備え、
前記歪み補正量算出ステップにおいては、前記撮像手段の電荷蓄積の開始と終了の間の略中央の時間における、前記光学補正手段の位置に基づいて設定された位置を基準として前記歪み補正量を算出することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】００１１
【補正方法】変更
【補正の内容】
【００１１】
本発明に係わる撮像装置は、振れ検出手段の出力に基づいて光学補正手段を駆動して、振れによる画像振れを光学的に補正する撮像装置であって、撮像光学系により結像された被写体像を受光して電荷を蓄積するタイミングがラインによって異なる撮像手段と、前記撮像手段により撮像された画像を記憶する記憶手段と、前記撮像手段が電荷を蓄積する間の前記振れによって発生する、前記画像内の歪みを補正するための歪み補正量を、前記振れ検出手段の出力に基づいて算出する歪み補正量算出手段と、前記歪み補正量に基づいて、前記記憶手段に記憶された画像の補正を行う補正手段とを備え、前記歪み補正量算出手段は、前記撮像手段の電荷蓄積の開始と終了の間の略中央の時間における、前記光学補正手段の位置に基づいて設定された位置を基準として前記歪み補正量を算出することを特徴とする。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
鉄心材が格納される格納部と、
前記格納部から鉄心材が搬送される搬送部と、
前記搬送部から搬送された鉄心材が切断される切断部と、
前記切断部で切断された鉄心材が積層される積層部と
を備え、
前記積層部は、
前記切断された鉄心材が積層される積層形状に対応する受け型と、
前記受け型が材料が搬送される方向側に傾斜されており、
前記受け型を下降させる下降部とを有し、
前記切断部にて切断された鉄心材が傾斜して積層されて前記積層部で積層される際に、前記受け型に積層された鉄心材の積み高さに対応して、前記受け型を前記下降部が下降させる
ことを特徴とするアキシャルギャップモータの鉄心製造装置。
【請求項２】
請求項１記載のアキシャルギャップモータの鉄心製造装置において、
前記受け型に積層される鉄心材を押さえる押さえ部を設け、
前記切断部で鉄心材が切断された後に、
前記受け型に積層される鉄心材が前記押さえ部によって押さえられる
ことを特徴とするアキシャルギャップモータの鉄心製造装置。
【請求項３】
格納された鉄心材が搬送され、
次に、搬送された鉄心材が切断され、
次に、切断された鉄心材が積層されて
アキシャルギャップモータの鉄心を製造するアキシャルギャップモータの鉄心の製造方法において、
前記積層される鉄心材の積層形状に対応する受け型に前記切断された鉄心材が積層され、
前記受け型が鉄心材が搬送される方向側に傾斜されており、
前記受け型に切断された鉄心材が傾斜して積層されて前記積層部で積層される際に、
前記受け型に積層された鉄心材の積み高さに対応して、前記受け型を下降させる
ことを特徴とするアキシャルギャップモータの鉄心の製造方法。
【請求項４】
請求項３記載のアキシャルギャップモータの鉄心製造方法において、
前記受け型に積層される鉄心材を押さえながら、前記切断部で鉄心材が切断された後に、前記受け型に積層される鉄心材が前記押さえ部によって押さえられる
ことを特徴とするアキシャルギャップモータの鉄心製造装置。
【請求項５】
鉄心に巻かれる巻線と、円板状に磁石が配置される回転子と、前記回転子の回転軸と、前記回転軸を支持する軸受け部と、前記巻線を有する静止鉄心と、前記軸受け部とを支持する筐体とを有するアキシャルギャップモータであって、
前記鉄心は、複数層からなる鉄心材から構成されており、
前記鉄心材の先端部の端面は、前記鉄心材の面方向に対する垂直方向とは異なる角度に傾斜されていること
を特徴とするアキシャルギャップモータ。
【請求項６】
請求項５に記載されたアキシャルギャップモータであって、
前記端面は、前記鉄心材が切断された角度に傾斜されたこと
を特徴とするアキシャルギャップモータ。
【請求項７】
請求項５に記載されたアキシャルギャップモータであって、
前記複数層からなる鉄心材のうち一の層の長手方向の一方の端面と、前記一の一層下に積層された他の層の端面のうち前記一方の端面と対向する端面と、の切断面が一致すること
を特徴とするアキシャルギャップモータ。
【請求項８】
請求項５に記載されたアキシャルギャップモータであって、
前記複数層からなる鉄心材のうち一の層と、前記一の鉄心材の一層下に積層された他の層と、を切断された位置の切断面が一致すること
を特徴とするアキシャルギャップモータ。
【請求項９】
請求項５に記載されたアキシャルギャップモータであって、
前記複数層からなる鉄心材のうち一の層と、前記一の鉄心材の一層下に積層された他の層と、を切断された位置で繋ぎ合わせることで切断された端面の形状が一致すること
を特徴とするアキシャルギャップモータ。
【請求項１０】
請求項５に記載されたアキシャルギャップモータであって、
前記複数層からなる鉄心材のうち一の層と、前記の層の一層下に積層された他の層と、の切断されたそれぞれの切断面が一致すること
を特徴とするアキシャルギャップモータ。
【請求項１１】
請求項５に記載されたアキシャルギャップモータであって、
前記鉄心材には、前記鉄心材の端面から所定の距離までに押しつけられた跡を有すること
を特徴とするアキシャルギャップモータ。
【請求項１２】
請求項５に記載されたアキシャルギャップモータであって、
前記複数層からなる鉄心材のうち一の層には第一の押付けられた跡と、前記一の層とは異なる他の層には第二の押付けられた跡と、を有しおり、
前記第一の押付けられた跡と、前記第二の押付けられた跡と、が一致すること
を特徴とするアキシャルギャップモータ。
【請求項１３】
請求項５に記載されたアキシャルギャップモータであって、
前記鉄心材のうち一の層と前記一の層と異なる他の層を有しており、
前記一の層には第一の押付けられた跡と、前記他の層には第二の押付けられた跡とを有しおり、
前記一の層の端面から前記第一の押付けられた跡までの距離と、前記一の層の端面から前記第一の押付けられた跡までの距離と、が一致すること
を特徴とするアキシャルギャップモータ。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
一端部から他端部に向けて上面の高さサイズが増加するように傾斜面が形成された誘電体と、
前記誘電体の上面に沿って設けられた放射素子と、
前記誘電体の下面に配置された接地導体と、
前記放射素子に電気的に接続された給電部材と、
を有することを特徴とするパッチアンテナ。
【請求項２】
前記誘電体は、平面視で、前記一端部及び前記他端部の辺が長辺となるように長方形となっていることを特徴とする請求項１に記載のパッチアンテナ。
【請求項３】
前記放射素子は、その形状を正方形に沿った形状とし、前記傾斜面の傾斜方向に沿う前記放射素子の一対の辺に相対向する他の辺に対応する部分に向けて延びる少なくとも１本のスリットを対称に備えることを特徴とする請求項２に記載のパッチアンテナ。
【請求項４】
前記誘電体は、平面視で、前記一端部から前記他端部に向けて幅が狭窄するように台形状となっていることを特徴とする請求項１に記載のパッチアンテナ。
【請求項５】
前記誘電体は、厚さサイズが小さい箇所では厚さサイズが大きい箇所に比べて、誘電体の幅を大きくしたものであって、平面視で、等脚台形状となっていることを特徴とする請求項４に記載のパッチアンテナ。
【請求項６】
請求項１から５いずれか一項に記載のパッチアンテナと、
一方向に向けて上面の高さサイズが増加するアンテナケースと、
を備え、
前記アンテナケースの高さサイズの増加方向と前記パッチアンテナの高さサイズの増加方向とが合致するように、前記アンテナケースに前記パッチアンテナを収納状態で実装したことを特徴とする無線通信機器。
【請求項７】
本体ケースと、
前記本体ケースにバンドを取り付けるためのバンド取付部と、を備え、
前記バンド取付部は前記アンテナケースを構成していることを特徴とする請求項６に記載の無線通信機器。
【手続補正書】
【提出日】平成27年8月12日(2015.8.12)
【手続補正１】
【補正対象書類名】明細書
【補正対象項目名】０００６
【補正方法】変更
【補正の内容】
【０００６】
上記課題を解決するため、本発明の転送制御装置は、画像が撮像された位置を特定する位置特定手段と、前記位置特定手段により特定された位置に基づいて、当該画像の転送態様を特定する転送制御手段と、を備えることを特徴とする。
【手続補正２】
【補正対象書類名】明細書
【補正対象項目名】０００７
【補正方法】変更
【補正の内容】
【０００７】
また、本発明の画像転送制御方法は、転送制御装置を用いた画像転送制御方法であって、画像が撮像された位置を特定するステップと、特定された位置に基づいて、当該画像の転送態様を特定するステップと、を有することを特徴とする。
【手続補正３】
【補正対象書類名】明細書
【補正対象項目名】０００８
【補正方法】変更
【補正の内容】
【０００８】
また、本発明のプログラムは、転送制御装置のコンピュータを、画像が撮像された位置を特定する手段、特定された位置に基づいて、当該画像の転送態様を特定する手段、として機能させる。
【手続補正４】
【補正対象書類名】特許請求の範囲
【補正対象項目名】全文
【補正方法】変更
【補正の内容】
【特許請求の範囲】
【請求項１】
画像が撮像された位置を特定する位置特定手段と、
前記位置特定手段により特定された位置に基づいて、当該画像の転送態様を特定する転送制御手段と、
を備えることを特徴とする転送制御装置。
【請求項２】
前記転送制御手段は、所定の範囲と当該範囲内で撮像された撮像画像の転送態様が対応付けられた転送態様情報に基づいて、前記位置特定手段により特定された位置で撮像された画像の転送態様を特定することを特徴とする請求項１に記載の転送制御装置。
【請求項３】
前記転送態様情報は、画像の転送先に係る転送先情報を含み、
前記転送制御手段は、前記転送先情報に基づいて、前記位置特定手段により特定された位置で撮像された画像を前記転送先に転送するよう制御することを特徴とする請求項２に記載の転送制御装置。
【請求項４】
前記転送制御手段は、更に、前記位置特定手段により特定された位置に対応する転送先情報が特定できない場合に、所定の転送先に前記位置特定手段により特定された位置で撮像された画像を転送するよう制御することを特徴とする請求項３に記載の転送制御装置。
【請求項５】
前記転送態様情報は、画像の転送の許否に係る転送許否情報を含み、
前記転送制御手段は、前記転送許否情報に基づいて、前記位置特定手段により特定された位置で撮像された画像を転送しないよう制御することを特徴とする請求項２〜４の何れか一項に記載の転送制御装置。
【請求項６】
撮像された画像を取得する取得手段を備え、
前記位置特定手段は、前記取得手段により取得された画像が撮像された位置を特定することを特徴とする請求項１〜５の何れか一項に記載の転送制御装置。
【請求項７】
前記取得手段は、連続して撮像された複数の画像を逐次取得し、
前記位置特定手段は、前記取得手段により取得された複数の画像が撮像された位置を特定し、
前記転送制御手段は、前記転送先情報に基づいて、前記位置特定手段により特定された位置で撮像された複数の画像を前記転送先に逐次転送するよう制御することを特徴とする請求項６に記載の転送制御装置。
【請求項８】
前記転送制御手段は、前記転送先情報に基づいて、前記位置特定手段により特定された位置で撮像された画像を前記転送先に所定のタイミングで転送するよう制御することを特徴とする請求項３〜７の何れか一項に記載の転送制御装置。
【請求項９】
転送制御装置を用いた画像転送制御方法であって、
画像が撮像された位置を特定するステップと、
特定された位置に基づいて、当該画像の転送態様を特定するステップと、
を有することを特徴とする画像転送制御方法。
【請求項１０】
転送制御装置のコンピュータを、
画像が撮像された位置を特定する手段、
特定された位置に基づいて、当該画像の転送態様を特定する手段、
として機能させるプログラム。
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
ＯＦＤＭシンボルとサブキャリアとで構成されるリソースエレメントと、所定数の前記リソースエレメントで構成されるリソースブロックペアとを用いて、端末と通信する基地局であって、
第１のアンテナポートおよび第２のアンテナポートの参照信号を生成する参照信号生成部と、
前記端末に通知する制御チャネルであり、前記第１のアンテナポートおよび前記第２のアンテナポートに関連付けられるＥＰＤＣＣＨを生成するＥＰＤＣＣＨ生成部と、
前記参照信号と前記ＥＰＤＣＣＨを、所定数の前記リソースブロックペアで構成されるＥＰＤＣＣＨ領域にマッピングする多重部と、を備え、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
基地局。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
撮像光学系により結像された被写体像を撮像素子により光電変換して画像信号を生成する撮像手段を備え、該撮像手段を複数の撮影モードで動作させることが可能な撮像装置であって、
ユーザにより指定された、撮影シーンに関する１つ以上のキーワードを設定する設定手段と、
前記設定された１つ以上のキーワードに対応する１つ以上の撮影モードを前記複数の撮影モードから選択する選択手段と、
前記撮像手段により生成された画像信号に基づいて撮影シーンを判別する判別手段と、
前記選択された１つ以上の撮影モードと前記判別された撮影シーンとに基づいて、撮影パラメータを生成する生成手段と、
前記生成された撮影パラメータを用いて前記撮像手段の動作を制御する制御手段と、
を有することを特徴とする撮像装置。
【請求項２】
前記生成手段は、
前記判別された撮影シーンに対応する撮影モードが前記選択された１つ以上の撮影モードに含まれる場合、該対応する撮影モードに基づいた撮影パラメータを生成し、
前記判別された撮影シーンに対応する撮影モードが前記選択された１つ以上の撮影モードに含まれない場合、デフォルトの撮影モードに基づいた撮影パラメータを生成する
ことを特徴とする請求項１に記載の撮像装置。
【請求項３】
前記１つ以上のキーワードは、撮影時期、撮影場所、撮影対象、撮影方法に関するキーワードを含むことを特徴とする請求項１又は２に記載の撮像装置。
【請求項４】
前記設定手段は、
撮影時期、撮影場所、撮影対象、撮影方法に関する複数のシナリオ項目から、ユーザにいずれか１つを選択させるための項目選択画面を表示する手段と、
前記項目選択画面を介してユーザにより選択されたシナリオ項目に応じた複数のキーワード候補から、ユーザにいずれか１つを選択させるためのキーワード選択画面を表示する手段と、
を含むことを特徴とする請求項３に記載の撮像装置。
【請求項５】
前記撮像光学系によるズーム機能及び前記撮像装置の振れを補正する手振れ補正機能の少なくともいずれかを備える撮影アシスト手段と、
前記設定手段により設定された１つ以上のキーワードに応じて前記撮影アシスト手段を制御する撮影アシスト機能制御手段と、
を更に有することを特徴とする請求項１乃至４のいずれか１項に記載の撮像装置。
【請求項６】
撮像光学系により結像された被写体像を撮像素子により光電変換して画像信号を生成する撮像手段を備え、該撮像手段を複数の撮影モードで動作させることが可能な撮像装置の制御方法であって、
設定手段が、ユーザにより指定された、撮影シーンに関する１つ以上のキーワードを設定する設定ステップと、
選択手段が、前記設定された１つ以上のキーワードに対応する１つ以上の撮影モードを前記複数の撮影モードから選択する選択ステップと、
判別手段が、前記撮像手段により生成された画像信号に基づいて撮影シーンを判別する判別ステップと、
生成手段が、前記選択された１つ以上の撮影モードと前記判別された撮影シーンとに基づいて、撮影パラメータを生成する生成ステップと、
制御手段が、前記生成された撮影パラメータを用いて前記撮像手段の動作を制御する制御ステップと、
を有することを特徴とする撮像装置の制御方法。
【請求項７】
コンピュータに、請求項６に記載の撮像装置の制御方法の各ステップを実行させるためのプログラム。
【手続補正２】
【補正対象書類名】明細書
【補正対象項目名】００６３
【補正方法】変更
【補正の内容】
【００６３】
撮影アシスト機能制御部８１５は、シナリオから選択した撮影アシスト機能に基づいて、ズーム入力部８１６から入力されるズーム値から、光学系駆動部１０２におけるズームアクチュエータに入力するズームパラメータを生成する。また、撮影アシスト機能制御部８１５は、手振れ情報検出部８１７から入力される手振れ情報より、光学系駆動部１０２におけるシフトレンズアクチュエータに入力するシフトレンズパラメータを生成する。本実施形態においては、この生成されたシフトレンズパラメータをシフトレンズアクチュエータに設定することでレンズ位置を制御し、手振れ補正を行う。また、手振れ情報検出部８１７は、例えば、特開平６−１９４７２９号公報に示されるような、ジャイロセンサーに代表される角速度検出部から得られる角速度情報より手振れ情報を算出する。
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
時間の経過とともに増加または減少する参照信号を生成する参照信号生成部、
AD変換の対象となるアナログ信号と前記参照信号とを比較し、前記参照信号が前記アナログ信号に対して所定の条件を満たしたタイミングで比較処理を終了する比較部、
n個（nは、3以上の奇数）の遅延ユニットで構成され、前記n個の遅延ユニットのそれぞれを信号が伝送する第1の経路と、前記n個の遅延ユニットの一部を迂回して信号が伝送する第2の経路とを含む発振回路を有し、複数の前記遅延ユニットから出力される信号で構成される下位位相信号を出力するクロック生成部、
前記比較処理の終了に係るタイミングで前記下位位相信号をラッチするラッチ部、
前記遅延ユニットから出力される信号のうち所定の信号に基づきカウントを行って上位計数値を取得するカウンタ回路を有する計数部、
前記比較処理の間に前記クロック生成部から出力される前記複数の下位位相信号を、前記所定の信号を基準として、所定の時間間隔で順に立ち上がる、または、所定の時間間隔で順に立ち下がる信号群となるように並べたときの当該信号群の順番と同じ順番になるように、前記ラッチ部にラッチされた前記複数の下位位相信号を並べたと仮定した場合に並べた後の信号群におけるn（nは、2以上の自然数）個の前記下位位相信号の論理状態を検出する検出動作を、n個の前記下位位相信号を所定の順番で選択しながら行い、前記検出動作においてn個の前記下位位相信号の論理状態が所定の論理状態であることを検出したときに状態検出信号を出力し、前記状態検出信号に基づいてエンコードを行うエンコード部、
を備え、
前記所定の順番は、前記所定の信号および前記エンコード部のエンコード方式に応じて定義される順番である、
ことを特徴とするAD変換回路。
【請求項２】
前記エンコード方式は、前記状態検出信号が複数回出力された場合には最初に出力された前記状態検出信号に基づいてエンコード値を確定するエンコード方式である、
ことを特徴とする請求項1に係るAD変換回路。
【請求項３】
前記エンコード方式は、前記状態検出信号が複数回出力された場合には最後に出力された前記状態検出信号に基づいてエンコード値を確定するエンコード方式である、
ことを特徴とする請求項1に係るAD変換回路。
【請求項４】
光電変換素子を有し、画素信号を出力する画素が複数、行列状に配置された撮像部、
前記画素信号に応じたアナログ信号が入力される請求項1〜請求項3の何れか1つに係るAD変換回路、
を備え、
前記AD変換回路が有する前記比較部、前記ラッチ部、前記計数部、および前記エンコード部は、前記撮像部の画素の配列の1列毎または複数列毎に設けられている
ことを特徴とする固体撮像装置。
【手続補正２】
【補正対象書類名】明細書
【補正対象項目名】００３３
【補正方法】変更
【補正の内容】
【００３３】
本発明は、上記の課題を解決するためになされたもので、時間の経過とともに増加または減少する参照信号を生成する参照信号生成部、AD変換の対象となるアナログ信号と前記参照信号とを比較し、前記参照信号が前記アナログ信号に対して所定の条件を満たしたタイミングで比較処理を終了する比較部、n個（nは、3以上の奇数）の遅延ユニットで構成され、前記n個の遅延ユニットのそれぞれを信号が伝送する第1の経路と、前記n個の遅延ユニットの一部を迂回して信号が伝送する第2の経路とを含む発振回路を有し、複数の前記遅延ユニットから出力される信号で構成される下位位相信号を出力するクロック生成部、前記比較処理の終了に係るタイミングで前記下位位相信号をラッチするラッチ部、前記遅延ユニットから出力される信号のうち所定の信号に基づきカウントを行って上位計数値を取得するカウンタ回路を有する計数部、前記比較処理の間に前記クロック生成部から出力される前記複数の下位位相信号を、前記所定の信号を基準として、所定の時間間隔で順に立ち上がる、または、所定の時間間隔で順に立ち下がる信号群となるように並べたときの当該信号群の順番と同じ順番になるように、前記ラッチ部にラッチされた前記複数の下位位相信号を並べたと仮定した場合に並べた後の信号群におけるn（nは、2以上の自然数）個の前記下位位相信号の論理状態を検出する検出動作を、n個の前記下位位相信号を所定の順番で選択しながら行い、前記検出動作においてn個の前記下位位相信号の論理状態が所定の論理状態であることを検出したときに状態検出信号を出力し、前記状態検出信号に基づいてエンコードを行うエンコード部、を備え、前記所定の順番は、前記所定の信号および前記エンコード部のエンコード方式に応じて定義される順番である、ことを特徴とするAD変換回路である。
【誤訳訂正書】
【提出日】平成27年9月2日(2015.9.2)
【誤訳訂正１】
【訂正対象書類名】明細書
【訂正対象項目名】０１０２
【訂正方法】変更
【訂正の内容】
【０１０２】
本発明はまた、前記のズブチラーゼ変異体のいずれかであって、そのアミノ酸配列に対する任意のその他の修飾と組合せたものの使用も包含する。特に、改良された特性を酵素に提供するための当業界で既知のその他の修飾との組合せが意図される。当業界は異なる改良特性を有する多数のズブチラーゼ変異体を記載し、そしてそれらの多くが本明細書中の「発明の背景」の節に記載されている（上記参照）。それらの参考文献は、本明細書中に記載されたズブチラーゼ変異体と有益に併有され得るズブチラーゼ変異体を同定するための参考文献として、本明細書に開示される。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
設定温度に維持することが可能な第１の透明部材と、
前記第１の透明部材に対向する第２の透明部材と、
前記第１の透明部材及び前記第２の透明部材が接合され、前記第１の透明部材及び前記第２の透明部材と共にウェルプレートを収容可能な培養空間を形成する筐体部材と、
前記第１の透明部材と前記筐体部材の間で、前記培養空間に注入される液体を封止する封止部材と
を具備する培養容器。
【請求項２】
請求項１に記載の培養容器であって、
前記培養空間に注入された液体の液面を被覆する多孔質部材
をさらに具備する培養容器。
【請求項３】
請求項２に記載の培養容器であって、
前記多孔質部材に接合され、前記培養空間に収容されたウェルプレートと前記多孔質部材の隙間を被覆する飛散防止部材
をさらに具備する培養容器。
【請求項４】
請求項１から３のうちいずれか一つに記載の培養容器であって、
前記第１の透明部材は、ウェルプレートが前記第１の透明部材に載置された場合に前記ウェルプレートとの間に隙間を形成する切り欠きが設けられている
培養容器。
【請求項５】
請求項１から４のうちいずれか一つに記載の培養容器であって、
断熱性材料からなり、前記培養空間に収容されたウェルプレートを支持する支持部材
をさらに具備する培養容器。
【請求項６】
請求項１から５のうちいずれか一つに記載の培養容器であって、
前記第１の透明部材は、光透過性を有する透明板と、前記透明板上に前記透明板の部分領域毎に形成された電極対と、前記透明板上に形成され前記部分領域毎に前記電極対に接続された透明導電膜からなる
培養容器。
【請求項７】
設定温度に維持することが可能な第１の透明部材と、前記第１の透明部材に対向する第２の透明部材と、前記第１の透明部材及び前記第２の透明部材が接合され前記第１の透明部材及び前記第２の透明部材と共にウェルプレートを収容可能な培養空間を形成する筐体部材と、前記第１の透明部材と前記筐体部材の間で前記培養空間に注入される液体を封止する封止部材とを有する培養容器と、
前記培養容器に照明光を照射する照明光学系と、
前記照明光学系から照射され、前記培養容器を透過した照明光から位相差像を生成する顕微鏡光学系と
を具備する培養観察装置。
【請求項８】
請求項７に記載の培養観察装置であって
前記第１の透明部材に送風する送風機構
をさらに具備する培養観察装置。
【請求項９】
請求項７又は８に記載の培養観察装置であって、
前記第１の透明部材は、赤外線吸収材料からなり、
前記照明光学系は、前記第２の透明部材に前記照明光と共に赤外線を照射する
培養観察装置。
【請求項１０】
請求項９に記載の培養観察装置であって、
前記照明光学系は、リング状スリットが形成された絞りリングと、前記リング状スリットの前記培養容器側であって前記リング状スリットの内周に配置された赤外線照射部とを有する
培養観察装置。
【請求項１１】
設定温度に維持することが可能な第１の透明部材と、前記第１の透明部材に対向する第２の透明部材と、前記第１の透明部材及び前記第２の透明部材が接合され前記第１の透明部材及び前記第２の透明部材と共にウェルプレートを収容可能な培養空間を形成する筐体部材と、前記第１の透明部材と前記筐体部材の間で前記培養空間に注入される液体を封止する封止部材とを有する培養容器を準備し、
前記培養空間に観察対象物が収容されたウェルプレートを収容し、
前記培養空間に液体を注入し、
前記培養空間を前記観察対象物の培養環境に維持する
培養観察方法。
【手続補正書】
【提出日】平成27年3月29日(2015.3.29)
【手続補正１】
【補正対象書類名】特許請求の範囲
【補正対象項目名】請求項１
【補正方法】変更
【補正の内容】
【請求項１】
長い袋状の容器に納豆を入れ、袋の先を折り曲げて帯若しくは紐で巻きとめる保存方法
【手続補正２】
【補正対象書類名】特許請求の範囲
【補正対象項目名】請求項２
【補正方法】変更
【補正の内容】
【請求項２】
長い袋状の容器にゲル状の調味料と納豆を入れ、袋の先を折り曲げて帯若しくは紐で巻きとめる保存方法
【手続補正３】
【補正対象書類名】図面
【補正対象項目名】図７
【補正方法】追加
【補正の内容】
【図７】
2014064557.tif 000001
【手続補正４】
【補正対象書類名】図面
【補正対象項目名】図８
【補正方法】追加
【補正の内容】
【図８】
2014064557.tif 000002
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
識別情報の可変表示を行い表示結果を導出する可変表示手段を備え、予め定められた特定表示結果が導出されたときに、遊技者にとって有利な特定遊技状態に制御する遊技機であって、
識別情報の可変表示を開始するときに、前記特定遊技状態に制御するか否かを、識別情報の表示結果が導出される以前に決定する開始時決定手段と、
識別情報の可変表示結果が前記特定表示結果となるか否かを、前記開始時決定手段による決定前に判定する開始前判定手段と、
前記開始前判定手段による判定結果に応じて、前記特定遊技状態となる可能性を予告する予告演出を実行するか否かを示唆する示唆演出を複数種類の中から選択して実行する示唆演出実行手段と、を備え、
前記特定表示結果に制御される可能性が高いことを示す示唆演出が実行された場合は、前記特定表示結果に制御される可能性が低いことを示す示唆演出が実行された場合よりも高い割合で前記予告演出が実行される、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００７
【補正方法】変更
【補正の内容】
【０００７】
（１）上記目的を達成するため、本発明の第１の観点に係る遊技機は、
識別情報（例えば、特別図柄や飾り図柄など）の可変表示を行い表示結果を導出する可変表示手段（例えば第１及び第２特別図柄表示装置４Ａ、４Ｂや画像表示装置５など）を備え、予め定められた特定表示結果（例えば、大当り図柄となる特別図柄や大当り組合せの確定飾り図柄など）が導出されたときに、遊技者にとって有利な特定遊技状態（例えば、大当り遊技状態など）に制御する遊技機（例えば、パチンコ遊技機１など）であって、
識別情報の可変表示を開始するときに、前記特定遊技状態に制御するか否かを、識別情報の表示結果が導出される以前に決定する開始時決定手段（例えば、ステップＳ２３２、Ｓ２３６、Ｓ２３９などの処理を実行するＣＰＵ１０３など）と、
識別情報の可変表示結果が前記特定表示結果となるか否かを、前記開始時決定手段による決定前に判定する開始前判定手段（例えば、ステップＳ２１１などの処理を実行するＣＰＵ１０３など）と、
前記開始前判定手段による判定結果に応じて、前記特定遊技状態となる可能性を予告する予告演出（例えば、保留表示予告など）を実行するか否かを示唆する示唆演出を複数種類の中から選択して実行する示唆演出実行手段（例えば、ステップＳ５０８Ｂ、ステップＳ１７１などの処理を実行する演出制御用ＣＰＵ１２０など）と、を備え、
前記特定表示結果に制御される可能性が高いことを示す示唆演出が実行された場合は、前記特定表示結果に制御される可能性が低いことを示す示唆演出が実行された場合よりも高い割合で前記予告演出が実行される、
ことを特徴とする。
【手続補正４】
【補正対象書類名】明細書
【補正対象項目名】０００８
【補正方法】変更
【補正の内容】
【０００８】
このような構成によれば、示唆演出に対する注目を集めることができ、遊技興趣を向上させることができる。
【手続補正書】
【提出日】平成27年8月24日(2015.8.24)
【手続補正１】
【補正対象書類名】明細書
【補正対象項目名】００１２
【補正方法】変更
【補正の内容】
【００１２】
上記の構成によれば、弾性部材の弾発力に基づいてブレーキシューがブレーキロータに押し付けられた際、ブレーキロータに設けられた第１ギヤと、ブレーキシューに設けられた第２ギヤとが噛み合う。このため、ブレーキロータの外周部とブレーキシューとが共に平滑面である場合と比較して、ギヤ同士の噛み合いによる強い制動力が得られる。従って、弾性部材の弾発力が小さくても、十分な制動力を得ることができることから、弾性部材の弾発力に抗してブレーキを解除する際の操作力を効果的に低減することができる。
【手続補正２】
【補正対象書類名】明細書
【補正対象項目名】００５０
【補正方法】変更
【補正の内容】
【００５０】
胴体部２３の下部には、フック部材１１８を支持するフックホルダ１１６が固定され、当該フックホルダ１１６の先端面と、レバーロッド９６の先端拡径部９６ａとの間に、圧縮スプリング９８が配置される。この圧縮スプリング９８は、レバーロッド９６を先端方向に弾性的に常時付勢する。従って、レバーロッド９６に連結されたレバー２４は、圧縮スプリング９８の弾発力により、常時、胴体部２３に対して開く方向の力を受ける。レバー２４からの駆動力は、中間伝達機構１００を介して、開閉駆動伝達部８０を構成するプルロッド９１及びプルワイヤ７０へと伝達される。
【手続補正３】
【補正対象書類名】明細書
【補正対象項目名】００５３
【補正方法】変更
【補正の内容】
【００５３】
先端側支点ブロック５８は、中空円筒状であり、シャフト１８の軸線方向に対して姿勢変更可能に設けられ内周部で回転スリーブ５６を回転自在に支持する。先端側支点ブロック５８の内周に設けられた周方向に延在する突起７１ａ、７２ａと、回転スリーブ５６に設けられた環状凹部５６ｄとが係合することにより、回転スリーブ５６が先端側支点ブロック５８に対して回転可能且つ軸線方向に移動不可能に連結される。
【手続補正４】
【補正対象書類名】明細書
【補正対象項目名】００５４
【補正方法】変更
【補正の内容】
【００５４】
先端側支点ブロック５８とシャフト側支点ブロック５９とは、関節ピン７３、７４により、傾動軸線Ｏｙを中心に互いに回動可能に連結される。先端側支点ブロック５８基端の上部及び下部に設けられた舌片部５８ｂ、５８ｃと、シャフト側支点ブロック５９先端の上部及び下部に設けられた舌片部５９ｂ、５９ｃとに、関節ピン７３、７４が嵌合される。シャフト側支点ブロック５９は、シャフト１８の胴体部分を構成する中空状のシャフト本体１９（図３参照）の先端に固定される。シャフト側支点ブロック５９とシャフト本体１９とにより、シャフト１８が構成される。傾動軸線Ｏｙは、上下方向に設定されているが、シャフト本体１９の軸線に対して交差する他の方向に設定されてもよい。
【手続補正５】
【補正対象書類名】明細書
【補正対象項目名】００６３
【補正方法】変更
【補正の内容】
【００６３】
図２に示すように、ハンドル本体２０内には、傾動用ホイール２６の回転に連動して回転する駆動プーリ１３０が設けられる。駆動プーリ１３０には、傾動動作用のワイヤ１３２が巻き掛けられる。シャフト１８の内周部とロール駆動伝達管１３１の外周部との間には、シャフト１８の軸線に沿って延在する環状空間が設けられており、当該ワイヤ１３２は、当該環状空間内に挿通され、シャフト１８の先端側で従動プーリ９０（図４等参照）に巻き掛けられる。
【手続補正６】
【補正対象書類名】明細書
【補正対象項目名】００８２
【補正方法】変更
【補正の内容】
【００８２】
図９に示すように、スライド部材１７８は、前側を構成する前部１８４と、後ろ側を構成する後部１８６と、前部１８４と後部１８６の下部同士を繋ぐ中間構成部１８８とを有し、前部１８４の後面と後部１８６の前面と中間構成部１８８の上面とにより、スライド部材１７８の幅方向に延在する溝１９０が形成される。後部１８６の幅方向中央には、後方に開口する挿入穴１９２が形成される。この挿入穴１９２に、弾性部材１８０の一端側が挿入される。
【手続補正７】
【補正対象書類名】明細書
【補正対象項目名】００８８
【補正方法】変更
【補正の内容】
【００８８】
本実施形態の場合、弾性部材１８０の弾発力によりブレーキシュー１７６がブレーキロータ１７４に押し付けられた際、ブレーキロータ１７４に設けられた第１ギヤ１７５Ａと、ブレーキシュー１７６に設けられた第２ギヤ１７５Ｂとが噛み合う。このため、ブレーキロータ１７４の外周部とブレーキシュー１７６とが共に平滑面である場合と比較して、ギヤ同士の噛み合いによる強い制動力が得られる。従って、弾性部材１８０の弾発力が小さくても、十分な制動力を得ることができることから、弾性部材１８０の弾発力に抗してブレーキを解除する際の操作力を効果的に低減することができる。従って、操作性に優れたマニピュレータ１０を提供できる。
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
コンピューターに、
ゲームで消費されるポイント数と一致する数字を付した操作ボタンを、プレイヤーがゲームで消費させることのできるポイント数に応じた個数分だけ一列に並べて配置した操作領域をゲーム画面に表示させる処理と、
前記操作領域が前記ゲーム画面に表示されている際に、一列に並べられた前記操作ボタンのいずれかをプレイヤーに選択させることによって、前記プレイヤーによって選択された前記操作ボタンに付された数字と一致するポイント数の入力を受け付ける処理と、
前記入力に基づいて前記ポイント数がゲームで消費された際に、ゲームで消費された前記ポイント数に応じて、前記操作領域において前記プレイヤーが選択できる前記操作ボタンの個数を減少させることにより、ポイントの消費状態を前記ゲーム画面に表示させる処理と、
を実行させることを特徴とするゲームプログラム。
【請求項２】
請求項１に記載のゲームプログラムであって、
前記コンピューターに、
前記プレイヤーによって入力された前記ポイント数を消費させる操作を前記プレイヤーが行うための消費操作領域であって、当該ポイント数が消費されることを示す文字が付された消費操作領域を、前記ゲーム画面に表示させる処理と、
を実行させることを特徴とするゲームプログラム。
【請求項３】
請求項１又は２に記載のゲームプログラムであって、
前記コンピューターに、
回復させるポイント数の入力を受け付ける処理と、
前記入力に基づいて前記ポイント数がゲームで回復された際に、ゲームで回復された前記ポイント数に応じて、前記操作領域において前記プレイヤーが選択できる前記操作ボタンの個数を増加させることにより、ポイントの回復状態を前記ゲーム画面に表示させる処理と、
を実行させることを特徴とするゲームプログラム。
【請求項４】
ゲーム画面を表示する表示部と、
ゲームで消費されるポイント数と一致する数字を付した操作ボタンを、プレイヤーがゲームで消費させることのできるポイント数に応じた個数分だけ一列に並べて配置した操作領域をゲーム画面に表示させる処理、
前記操作領域が前記ゲーム画面に表示されている際に、一列に並べられた前記操作ボタンのいずれかをプレイヤーに選択させることによって、前記プレイヤーによって選択された前記操作ボタンに付された数字と一致するポイント数の入力を受け付ける処理、及び、
前記入力に基づいて前記ポイント数がゲームで消費された際に、ゲームで消費された前記ポイント数に応じて、前記操作領域において前記プレイヤーが選択できる前記操作ボタンの個数を減少させることにより、ポイントの消費状態を前記ゲーム画面に表示させる処理、を実行する画面表示制御部と、
を備えたことを特徴とする情報処理装置。
【手続補正２】
【補正対象書類名】明細書
【補正対象項目名】発明の名称
【補正方法】変更
【補正の内容】
【発明の名称】ゲームプログラム、及び、情報処理装置